(57)【要約】【課題】既設の室内空調機を利用して、洗濯衣類を効率よく、むらなく乾燥させることができ、乾燥効率に優れた室内衣類乾燥機を提供する。【解決手段】室内空調機１と、吹出し口１ａ下方近傍に温風受入れ口１９を配置することのできるカバー１７付きの物干しスタンド２とを具備し、物干しスタンド２は、脚部４と、そこから立設される支柱５と、各支柱の中間アタッチメント６を介して回動可能に取付け、水平姿勢と上向き姿勢の２つの姿勢をとることができる多数のハンガービーム８と、各支柱の上端アタッチメント１１を介して回動可能に取付け、水平姿勢と、下向き姿勢と、上向き傾斜姿勢の３つの姿勢をとることができるコ字状の上枠部材１２とを有し、上枠部材１２から吊り下げたカバー１７によりその内方に温風受入れ口１９を形成する。【選択図】図８
0003111050.tif 000002
【実用新案登録請求の範囲】
【請求項１】
室内の壁または天井に取付けられた室内空調機と、その吹出し口下方近傍に温風受入れ口を配置することのできるカバー付きの物干しスタンドとを具備してなり、物干しスタンドは、一対の脚部と、そこから立設される上下に伸縮可能な支柱と、各支柱の中間アタッチメントを介して回動可能に取付けられ、水平姿勢と上向き姿勢の２つの姿勢をとることができる多数のハンガービームと、各支柱の上端アタッチメントを介して回動可能に取付けられ、水平姿勢と、下向き姿勢と、上向き傾斜姿勢の３つの姿勢をとることができるコ字状の上枠部材とを有してなり、上枠部材から着脱可能に吊り下げられて側周面全体を覆うカバーによって、上枠部材の内方に温風受入れ口を形成することを特徴とする室内衣類乾燥機。
【請求項２】
上枠部材の内方にこれと一体な内枠部材を配置することを特徴とする請求項１記載の室内衣類乾燥機。
【請求項３】
多数のハンガービームの反対側に中間水平バーを対称に配置して、中間アタッチメントを介して中間水平バーの支持アームを回動可能に取り付け、上枠部材の反対側に同じくコ字状の第２上枠部材を対称に配置して、上端アタッチメントを介して回動可能に取付けてなり、前記中間水平バーの支持アームおよび前記第２上枠部材は、いずれも水平姿勢および下向き姿勢をとることができるようにしたことを特徴とする請求項１または請求項２記載の室内衣類乾燥機。
【請求項４】
脚部が長手方向に伸縮可能とされていることを特徴とする請求項１ないし請求項３記載の室内衣類乾燥機。
【考案の詳細な説明】
【技術分野】
【０００１】
本考案は、室内空調機からの吹出し風を利用して、効率よく洗濯物等の衣類を乾燥させることのできる室内衣類乾燥機に関する。
【背景技術】
【０００２】
雨の日など洗濯物を室外に干せない日は市販の室内物干しスタンドを利用したり、専用のドラム乾燥機を利用したり等して、洗濯物を乾燥させている。しかし、室内物干しスタンドにそのまま干しても乾燥に時間がかかる。また、ドラム乾燥機は衣類が縮んだり生地斐を傷めやすい問題がある。また、雨の日に限らず、冬場は室外であっても乾きが遅く、室内に干し直す場合が少なくない。
【０００３】
室内空調機からの温風を利用して、衣類を乾燥させるようにしたものとして、浴室内の物干し竿に衣類を吊り下げ、浴室乾燥機からの温風を当てて衣類を乾燥させるようにしたもの（特許文献１）、空調機の室内機に物干しバーをアタッチメントを介して取り付け、これに洗濯物を吊り下げて乾燥させるようにしたもの（特許文献２）が知られている。
【０００４】
【特許文献１】特開２００３−１８１１９６号公報
【特許文献２】特開２００２−３０１２９９号公報
【考案の開示】
【考案が解決しようとする課題】
【０００５】
しかしながら、いずれの場合も、室内空調機からの温風を洗濯衣類に直接当てるに過ぎず、洗濯衣類の乾燥にむらが生じたり、乾燥に時間がかかる欠点がある。むらの生じる洗濯衣類を完全に乾かすには余計に時間をかける必要がある。
【０００６】
本考案は上記問題点に鑑みてなされたもので、既設の室内空調機を利用して、洗濯衣類を効率よく、むらなく乾燥させることができ、乾燥効率に優れた室内衣類乾燥機を提供することを目的とする。
【０００７】
また、乾燥させる衣類の量に応じてサイズをコンパクトにすることができる室内衣類乾燥機を提供することを目的とする。
【０００８】
さらに、物干しスタンドをコンパクトに折り畳み、収納、移動に便利な室内衣類乾燥機を提供することを目的とする。
【課題を解決するための手段】
【０００９】
上記課題を解決するために、本考案の請求項１に係る室内衣類乾燥機は、室内の壁または天井に取付けられた室内空調機と、その吹出し口下方近傍に温風受入れ口を配置することのできるカバー付きの物干しスタンドとを具備してなり、物干しスタンドを、一対の脚部と、そこから立設される上下に伸縮可能な支柱と、各支柱の中間アタッチメントを介して回動可能に取付け、水平姿勢と上向き姿勢の２つの姿勢をとることができる多数のハンガービームと、各支柱の上端アタッチメントを介して回動可能に取付け、水平姿勢と、下向き姿勢と、上向き傾斜姿勢の３つの姿勢をとることができるコ字状の上枠部材とを有してなり、上枠部材から着脱可能に吊り下げて側周面全体を覆うカバーによって、上枠部材の内方に温風受入れ口を形成することを特徴とする。
【００１０】
室内空調機の吹出し口下方近傍にカバー付きの物干しスタンドの温風受入れ口を配置して、室内空調機から吹き出される温風の大部分を温風受入れ口に導入し、物干しスタンドのカバーの内部空間を通るようにする。温風はカバーの下端開口部から排出される。その間、カバーの内側は温風が供給されて温度が上昇し、高温に保持される。多数のハンガービームに掛けられた洗濯衣類は、カバー内が高温に保たれると共に、風が通るので、むらなく短時間で乾燥する。
【００１１】
カバーは、可撓性のある布生地、ビニール生地であってよい。カバーは内部の洗濯衣類を目隠しする役目もする。カバーを着脱可能とすることで、晴れた日はカバーを外し、屋外やベランダに移動して洗濯衣類を干すことができる。
【００１２】
上枠部材を下向きに、ハンガービームを上向きに、それぞれ折り畳むことにより、物干しスタンドをコンパクトにすることができ、移動、収納を簡単にすることができる。
【００１３】
本考案の請求項２に係る室内衣類乾燥機は、上枠部材の内方にこれと一体な内枠部材を配置するようにしたことを特徴とする。
【００１４】
内枠部材の上に靴下やハンカチなどの衣類、あるいは洗濯後の靴を置いてこれらを乾燥させることができる。
【００１５】
本考案の請求項３に係る室内衣類乾燥機は、多数のハンガービームの反対側に中間水平バーを対称に配置して、中間アタッチメントを介して中間水平バーの支持アームを回動可能に取り付け、上枠部材の反対側に同じくコ字状の第２上枠部材を対称に配置して、上端アタッチメントを介して回動可能に取付けてなり、前記中間水平バーの支持アームおよび前記第２上枠部材は、いずれも水平姿勢および下向き姿勢をとることができるようにしたことを特徴とする。
【００１６】
中間水平バーおよび第２上枠部材をいずれも水平姿勢にすると、より多くの洗濯衣類を干すことができる。逆に、中間水平バーおよび第２上枠部材をいずれも下向きに折り畳むことで、物干しスタンドがコンパクトになり、移動および収納が簡単となる。
【００１７】
本考案の請求項４に係る室内衣類乾燥機は、脚部が長手方向に伸縮可能とされていることを特徴とする。
【００１８】
脚部を長手方向に縮めることにより、収納する際に物干しスタンドをよりコンパクト化することができる。
【考案の効果】
【００１９】
以上説明したように、本考案によると、室内空調機の吹出し口近傍にカバー付きの物干しスタンドの温風受入れ口を配置して、物干しスタンドの洗濯衣類を効率よく、むらなく、短時間で乾燥させることができる効果を奏する。
【００２０】
また、物干しスタンドをコンパクトにして、移動、収納を簡単に行うことができて便利な室内衣類乾燥機を提供することができる効果を奏する。
【考案を実施するための最良の形態】
【００２１】
本考案を実施するための最良の形態につき、図１ないし図１０を参照して説明する。
本考案の室内衣類乾燥機は、図１に示すように、室内の壁の天井近くに取付けられた室内空調機１と、カバー付きの物干しスタンド２とから基本構成されている。
【００２２】
物干しスタンド２は、キャスター３付きの一対の脚部４と、各脚部４から立設される上下に伸縮可能な支柱５とを有している。
【００２３】
支柱５は、脚部４の上端取付部に取付けられる外筒部５ａと、この外筒部５ａの内側に挿入される内筒部５ｂとからなり、環状の締め付け部材５ｃを緩めて伸縮可能とし、締め付け部材５ｃを締めて固定するようになっている。脚部４は、脚部本体４ａの一端開口から内部収容部に補助脚部４ｂを出し入れできるようになっており、前後方向に伸縮可能とされている。
【００２４】
各支柱５，５間には中間アタッチメント６，６を介して中間水平部材７が取付けられている。この中間水平部材７の前面には、水平姿勢と上向き姿勢をとることができる多数のハンガービーム８，８・・・の基端部が軸ピン８ａを介して回動可能に軸支されている。このハンガービーム８の先端には衣類を保持する弾性フック８ｂが付属されている。
【００２５】
ハンガービーム８，８・・・の反対側には、複数本の水平バー９ａからなるタオルハンガー部９が配置されており、各水平バー９ａの支持アーム９ｂが中間アタッチメント６の内面に軸ピン１０を介して回動可能に取付けられている。支持アーム９ｂの外面と中間アタッチメント６の内面に設けられた２箇所の凹凸からなる係止手段（図示せず）によって、支持アーム９ｂを水平姿勢と下向き姿勢に保持できるようになっている。タオルハンガー部９にはタオルだけでなく、その上に洗濯衣類を乗せることもできる。
【００２６】
支柱５，５の上端の間には、図１および図３に示すように、上端アタッチメント１１，１１を介して上端水平部材１２が取付けられている。そして、上端アタッチメント１１，１１の内面には前を向くコ字状の上枠部材１２が軸ピン１１ａを介して回動可能に軸支されている。この上枠部材１２は、前枠１２ａと両側の側枠１２ｂとからなり、図４および図５に示すように、各側枠１２ｂの根元側外面に設けられた突起（図示せず）が上端アタッチメント１１の内面に設けられた３箇所の凹溝１３ａに係合して、水平姿勢と、下向き姿勢と、上向きの傾斜姿勢の２つの姿勢を取ることができる。上向きの傾斜姿勢は、室内空調機１の吹出し口１ａからの吹出し方向Ａに対し略直角となる角度をもつ。
【００２７】
上枠部材１２の内側には、上枠部材１２と一体なコ字形の内枠部材１４が配置されている。この内枠部材１４は前枠１４ａと両側の側枠１４ｂからなり、前枠１４ａと平行な複数の水平バー１４ｃを側枠１４ｂ間に備えている。
【００２８】
上枠部材１２の反対側には同じく後ろを向くコ字形の第２上枠部材１５が対称に配置されている。この第２上枠部材１５も、上端アタッチメント１１，１１の内側に軸ピン１１ａを介して回動可能に軸支されている。この第２上枠部材１５は、前枠１５ａと両側の側枠１５ｂとからなり、図６および図７に示すように、各側枠１５ｂの根元側外面に設けられた突起１３ｂが上端アタッチメント１１の内面に設けられた２箇所の凹溝１３ｃ，１３ｃに係合することによって、水平姿勢と下向き姿勢をとることができる。
【００２９】
第２上枠部材１５の内方には、第２上枠部材１５と一体なコ字形の内枠部材１６が配置されている。この内枠部材１６は前枠１６ａと側枠１６ｂからなり、前枠１６ａと平行な複数の水平バー１６ｃを側枠１６ｂ間に備えている。
【００３０】
上枠部材１２、第２上枠部材１５からは、内部に干された洗濯衣類の全体を覆うカバー１７が吊り具１８によって吊り下げられている。このカバー１７は、上枠部材１２および第２上枠部材１５の側周面全体を覆うことによって、上枠部材１２および第２上枠部材１５の内側に温風受入れ口１９を形成する。このカバー１７は脚部４の近くまでの長さを有し、床面との間に隙間を形成する。このカバー１７は、ポリプロピレンなどの合成樹脂シートからなり、留め具１７ａによって開閉できるようになっている。
【００３１】
次ぎに、以上のように構成された室内衣類乾燥機の使用方法を説明する。
【００３２】
図２に示すように、室内空調機１の直下に物干しスタンド２を移動する。温風受入れ口１９から室内空調機１の吹出し口１ａまでの高さは、締め付け部材５ｃを緩めて支柱５の内筒部５ｂを伸縮して調節する。室内空調機１を作動し、風向きを調整して、吹出し口１ａからの温風を温風受入れ口１９に導入する。温風受入れ口１９に導入した風は、カバー１７によって囲まれた内部空間を上から下へ通過しながら内部のハンガービーム８等に掛けられた洗濯衣類を乾燥させながら、カバー１７の下端開口部から外側へ抜ける。
【００３３】
カバー１７で囲まれた内部空間は温度が上昇して、例えば４０度以上に達する。温風が洗濯衣類の周囲を循環してその乾燥を促進する。回転式ドラム乾燥機と異なり、衣類の縮みや生地の痛みがなく、ふんわりと乾かすことができる。乾燥に必要な時間だけ、タイマーを設定して、室内空調機１を稼動させることができる。乾燥後は、そのまま、衣類スタンドとして利用することができる。
【００３４】
図９に示すように、上枠部材１２を上向きに回動させ、室内空調機１からの温風の吹出し方向に対し略直交する傾斜姿勢に固定すると、より多くの温風をカバー１７内に取り込むことができ、洗濯衣類の乾燥を促進させることができる。
【００３５】
洗濯衣類が少量である場合は、図１０に示すように、後ろの第２上枠部材１５およびタオルハンガー９をそれぞれ下に折り畳み、脚部４の補助脚部４ｂを縮めることで、物干しスタンド２を前半分だけのコンパクトな大きさにすることができる。これにより、少量の洗濯衣類や、狭い室内に対しても有効に対応することができる。
【産業上の利用可能性】
【００３６】
本考案の室内衣類乾燥機は、一般家庭等において広く利用することができる。
【図面の簡単な説明】
【００３７】
【図１】本考案の室内衣類乾燥機を示す斜視図、
【図２】同室内衣類乾燥機の側面図、
【図３】同室内衣類乾燥機の物干しスタンドの平面図、
【図４】上端アタッチメントと上枠部材の係止構造を示す要部斜視図、
【図５】上端アタッチメントの上枠部材側の内面を示す図、
【図６】上端アタッチメントの第２上枠部材側の内面を示す図、
【図７】上枠部材の係止構造を示す図、
【図８】上枠部材を上向き傾斜姿勢とした状態を示す室内衣類乾燥機の斜視図、
【図９】図８に示す室内衣類乾燥機の側面図、
【図１０】コンパクトにした状態の室内衣類乾燥機の側面図である。
【符号の説明】
【００３８】
１  室内空調機
１ａ  吹出し口
２  物干しスタンド
３  キャスター
４  脚部
４ａ  脚部本体
４ｂ  補助脚部
５  支柱
５ａ  外筒部
５ｂ  内筒部
５ｃ  締め付け部材
６  中間アタッチメント
７  中間水平部材
８  ハンガービーム
８ａ，１０  軸ピン
８ｂ  弾性フック
９  タオルハンガー部
９ａ  水平バー
９ｂ  支持アーム
１１  上端アタッチメント
１１ａ  軸ピン
１２  上枠部材
１２ａ，１５ａ，１４ａ，１６ａ  前枠
１２ｂ，１４ｂ，１６ａ  側枠
１３ａ，１３ｂ  凹溝
１３ｃ  突起
１４，１６  内枠部材
１５  第２上枠部材
１７  カバー
１７ａ  留め具
１８  吊り具
１９  温風受入れ口
【図１】
0003111050.tif 000003
【図２】
0003111050.tif 000004
【図３】
0003111050.tif 000005
【図４】
0003111050.tif 000006
【図５】
0003111050.tif 000007
【図６】
0003111050.tif 000008
【図７】
0003111050.tif 000009
【図８】
0003111050.tif 000010
【図９】
0003111050.tif 000011
【図１０】
0003111050.tif 000012
【手続補正書】
【提出日】平成17年4月8日(2005.4.8)
【手続補正１】
【補正対象書類名】明細書
【補正対象項目名】００２３
【補正方法】変更
【補正の内容】
【００２３】
支柱５は、脚部４の上端取付部に取付けられる外筒部５ａと、この外筒部５ａの内側に挿入される内筒部５ｂとからなり、環状の締め付け部材５ｃを緩めて伸縮可能とし、締め付け部材５ｃを締めて固定するようになっている。脚部４は、脚部本体の一端開口から内部収容部に補助脚部４ｂを出し入れできるようになっており、前後方向に伸縮可能とされている。
【手続補正２】
【補正対象書類名】明細書
【補正対象項目名】００２５
【補正方法】変更
【補正の内容】
【００２５】
ハンガービーム８，８・・・の反対側には、複数本の水平バー９ａからなるタオルハンガー部９が配置されており、各水平バー９ａの支持アーム９ｂが中間アタッチメント６の内面に軸ピン６ａを介して回動可能に取付けられている。支持アーム９ｂの外面と中間アタッチメント６の内面に設けられた２箇所の凹凸からなる係止手段（図示せず）によって、支持アーム９ｂを水平姿勢と下向き姿勢に保持できるようになっている。タオルハンガー部９にはタオルだけでなく、その上に洗濯衣類を乗せることもできる。
【手続補正３】
【補正対象書類名】明細書
【補正対象項目名】００２６
【補正方法】変更
【補正の内容】
【００２６】
支柱５，５の上端の間には、図１および図３に示すように、上端アタッチメント１１，１１を介して上枠部材１２が取付けられている。そして、上端アタッチメント１１，１１の内面には前を向くコ字状の上枠部材１２が軸ピン１１ａを介して回動可能に軸支されている。この上枠部材１２は、前枠１２ａと両側の側枠１２ｂとからなり、図４および図５に示すように、各側枠１２ｂの根元側外面に設けられた突起（図示せず）が上端アタッチメント１１の内面に設けられた３箇所の凹溝１３ａに係合して、水平姿勢と、下向き姿勢と、上向きの傾斜姿勢の３つの姿勢を取ることができる。上向きの傾斜姿勢は、室内空調機１の吹出し口１ａからの吹出し方向Ａに対し略直角となる角度をもつ。
【手続補正４】
【補正対象書類名】明細書
【補正対象項目名】００３８
【補正方法】変更
【補正の内容】
【００３８】
１  室内空調機
１ａ  吹出し口
２  物干しスタンド
３  キャスター
４  脚部
４ｂ  補助脚部
５  支柱
５ａ  外筒部
５ｂ  内筒部
５ｃ  締め付け部材
６  中間アタッチメント
７  中間水平部材
８  ハンガービーム
６ａ，８ａ，１１ａ  軸ピン
８ｂ  弾性フック
９  タオルハンガー部
９ａ，１４ｃ，１６ｃ  水平バー
９ｂ  支持アーム
１１  上端アタッチメント
１２  上枠部材
１２ａ，１５ａ，１４ａ，１６ａ  前枠
１２ｂ，１４ｂ，１５ｂ，１６ｂ  側枠
１３ａ，１３ｃ  凹溝
１３ｂ  突起
１４，１６  内枠部材
１５  第２上枠部材
１７  カバー
１７ａ  留め具
１８  吊り具
１９  温風受入れ口